(57)【要約】  【課題】  光源を設置することも無く、受光したブラックライトや蛍光等の入射光を反射することもしないで、光エネルギーを持続して自ら発する蓄光剤、特に、残光性機能セラミックスを浴槽７に使うことを課題とする。  【解決手段】  浴槽７の層構造の表面側５に配置された透明樹脂層１と、前記浴槽７の層構造の裏面側６に配置されたバックアップ層４との間に、蓄光剤を含むコーティング層２が、挟まれて成形された前記浴槽７から構成される。【選択図】    図１
2006006603.tif 000002
【特許請求の範囲】
【請求項１】
浴槽の層構造の表面側に配置された透明樹脂層と、前記浴槽の層構造の裏面側に配置されたバックアップ層との間に、蓄光剤を含むコーティング層が、挟まれて成形されたことを特徴とする蓄光浴槽。
【請求項２】
前記蓄光剤を含む第一のコーティング層に接し、該第一のコーティング層から見て前記浴槽の裏面側に配置された白色トナーを含む第二のコーティング層を有することを特徴とする請求項１に記載の蓄光浴槽。
【請求項３】
前記透明樹脂層の裏面側に脱脂加工が施されていることを特徴とする請求項１又は２に記載の蓄光浴槽。
【請求項４】
浴槽の層構造の表面側に配置された透明樹脂層と、前記浴槽の層構造の裏面側に配置されたバックアップ層とが設けられた浴槽において、前記透明樹脂層内部に蓄光剤が混入していることを特徴とする蓄光浴槽。
【請求項５】
前記透明樹脂層に接し、該透明樹脂層から見て前記浴槽の裏面側に配置された白色トナーを含むコーティング層を有することを特徴とする請求項４に記載の蓄光浴槽。
【請求項６】
前記透明樹脂層の裏面側に脱脂加工が施されていることを特徴とする請求項４又は５に記載の蓄光浴槽。
【発明の詳細な説明】
【技術分野】
【０００１】
この発明は、暗所でも一定時間発光する蓄光剤の働きを有効に使った装飾用兼癒し系の浴槽の構造に関するものである。
【背景技術】
【０００２】
従来、装飾用浴槽は一部のレジャーホテル等の特殊な用途にしか使用されてこなかった。奇を衒った華美な装飾を施しても、必ずしも客の嗜好にそぐわなかった。しかし、最近の健康志向、温泉スパーの普及に伴い、ジャグジー等の癒し系の大型浴槽の需要が伸びてきた。如何に低コストで肉体的疲労回復や精神的なリラクゼーション効果が期待できるかが問われてきている。そこで、精神や目が休まる暗所でも長時間微光を放つ浴槽が使われれば、異次元の世界に浮遊しているような錯覚に浸れ、精神が癒されるばかりではなく、浴槽の輪郭も認識でき、滑ったり躓いたりする危険も回避され、安全性が高まる。また、メンテナンスフリーで、半永久的に使える。関連技術としては次の（１）〜（４）の４件を特許文献として挙げる。
（１）特許文献１（特開平９−１９２０４１号公報）
【０００３】
軽量で且つ肉厚が薄くても深みのある透明感を現出することのできるアクリル浴槽を提供するために、アクリル層の裏面側に、着色した半透明のＦＲＰ（ガラス繊維強化プラスチック）層を形成すると共に、このＦＲＰ層の表面側又は裏面側の何れか一方又は双方に、当該ＦＲＰ層の色合いを暈すための着色した半透明の層を形成する。
【０００４】
これにより光はアクリル層及び半透明のＦＲＰ層を透過してその裏面側で反射して認識されるようになり、極めて肉厚が薄く且つ軽量でありながら、深みのある透明感を現出することができる。しかも、薄肉であっても、着色した半透明のＦＲＰ層のガラス繊維が製品表面側から見えることはない。
（２）特許文献２（特開平１１−１３７４６６号公報）
【０００５】
ゲルコートレス注型浴槽の光沢むらを無くすために、雄型と雌型とを組み合わせて形成された成形空間へ熱硬化性重合型不飽和エステル樹脂成形材料を注入し、硬化に伴う収縮量に応じて、雄型または雌型を追随動作させて雄型と雌型との間隙を狭めながら成形されるゲルコートレス注型浴槽において、浴槽の注型層の肉厚比を、浴槽底面部の肉厚１に対して、浴槽上縁面部及び浴槽側面部の肉厚が０．７以上１．０未満に設定する。
（３）特許文献３（特開２０００−１１６５５７号公報）
【０００６】
入浴時のリラックス効果をもたらす浴槽を提供するため、浴槽を構成する材料の表面に透明アクリル樹脂層を形成し、透明アクリル樹脂層にて覆われた浴槽を構成する材料表面に蛍光塗料を塗布し、これに対し、蛍光塗料を発光させるブラックライトを浴槽近くに設置する。
（４）特許文献４（特開２００３−３８３７５号公報）
【０００７】
漏水や漏電の心配が無く、また、趣向性に富み、高級感及び高度の精神的リラクゼーション効果を得ることができる光透過型浴槽を提供するために、光透過性を有する材料により成形された浴槽容器の周壁裏面側に、端部が照明用光源装置の光源に指向され、該光源からの照明光を受けて側面発光する複数本の光ファイバーを網状に編んで帯状化した帯状光ファイバーを周設する。
【特許文献１】特開平９−１９２０４１号公報
【特許文献２】特開平１１−１３７４６６号公報
【特許文献３】特開２０００−１１６５５７号公報
【特許文献４】特開２００３−３８３７５号公報
【発明の開示】
【発明が解決しようとする課題】
【０００８】
しかしながら、このような従来のものにあっては、外部からの光を反射したり、光源を新たに設置したり、ブラックライト等の受光により蛍光を反射するものばかりで、そのもの自らが冷光を放つような微光性の発光寿命の永いものは無かった。以前に時計の文字盤に使用した夜光塗料のように、放射能を帯びたものは、健康志向の意識向上に伴い、回避されるようになった。
【０００９】
そこで、この発明は、上記の点に鑑みてなされたものであり、光源を設置することも無く、受光した入射光を反射したり、蛍光を反射したりせずに、光エネルギーを持続して自ら発する蓄光剤（残光性機能セラミックス）を浴槽に使うことを課題とする。
【課題を解決するための手段】
【００１０】
係る課題を達成するために、請求項１に記載の発明は、浴槽の層構造の表面側に配置された透明樹脂層と、前記浴槽の層構造の裏面側に配置されたバックアップ層との間に、蓄光剤を含むコーティング層が、挟まれて成形されたことを特徴とする。
【００１１】
請求項２に記載の発明は、請求項１に記載の構成に加えて、前記蓄光剤を含む第一のコーティング層に接し、該第一のコーティング層から見て前記浴槽の裏面側に配置された白色トナーを含む第二のコーティング層を有することを特徴とする。
【００１２】
請求項３に記載の発明は、請求項１又は２に記載の構成に加えて、前記透明樹脂層の裏面側に脱脂加工が施されていることを特徴とする。
【００１３】
請求項４に記載の発明は、浴槽の層構造の表面側に配置された透明樹脂層と、前記浴槽の層構造の裏面側に配置されたバックアップ層とが設けられた浴槽において、前記透明樹脂層内部に蓄光剤が混入していることを特徴とする。
【００１４】
請求項５に記載の発明は、請求項４に記載の構成に加えて、前記透明樹脂層に接し、該透明樹脂層から見て前記浴槽の裏面側に配置された白色トナーを含むコーティング層を有することを特徴とする。
【００１５】
請求項６に記載の発明は、請求項４又は５に記載の構成に加えて、前記透明樹脂層の裏面側に脱脂加工が施されていることを特徴とする。
【発明の効果】
【００１６】
請求項１に記載の発明によれば、浴槽の層構造の表面側に配置された透明樹脂層と、前記浴槽の層構造の裏面側に配置されたバックアップ層との間に、蓄光剤を含むコーティング層が、挟まれて成形されたことを特徴とするので、人間が何人入っても破損しない強固な浴槽にも拘わらず、透明板を透過する微光を放ち、幻想的な雰囲気を醸し出す。また、光を照射しておきさえすれば、光エネルギーを蓄えておくことができる蓄光剤が、真っ暗闇でも一定時間微光を放つので、メンテナンスフリーで便利である。輝度の維持は、初期輝度１００ｍｃｄ／ｍ２以上の維持時間で、６０〜９０分、残光輝度５ｍｃｄ／ｍ２以上の維持時間で、８４０〜１２００分、光り続ける。更に、前記蓄光剤が浴槽内に溶け出すことも無い。しかも、前記透明樹脂層を通して伝わる熱は穏やかで少ないため、蓄光剤の熱による性能劣化も生じにくい。透明樹脂層とバックアップ層との間に介在するコーティング層に蓄光剤を混入させているため、両側から挟まれたサンドイッチ構造で保護され、浴槽の耐熱温度は６０℃で、通常４８℃以下のお湯なので経時変化が少なくて済む。
【００１７】
請求項２に記載の発明によれば、請求項１に記載の効果に加えて、前記蓄光剤を含む第一のコーティング層に接し、該第一のコーティング層から見て前記浴槽の裏面側に配置された白色トナーを含む第二のコーティング層を有することを特徴とするので、前記浴槽の層構造の裏面側に配置されたバックアップ層の模様を見えなくしたり、裏面側からの光等を遮断し、また、浴槽の裏面側に剥がれ落ちることも無い。これによって、深みのある光沢が前記浴槽の表面側全体に斑無く現出される。前記第一のコーティング層の発光により出射された微光は、前記第二のコーティング層で反射され、若しくは直接、前記透明樹脂層を透過するため、光沢のある荘厳な重厚観を醸し出す。微光を放つ光源たる前記第一のコーティング層の層厚に深みのある深遠感を持たしつつ、且つ、余分な蓄光剤を不用意に使用することも無くなるので、高級感のある浴槽を廉価に生産できる。
【００１８】
請求項３に記載の発明によれば、請求項１又は２に記載の効果に加えて、前記透明樹脂層の裏面側に脱脂加工が施されていることを特徴とするので、前記透明樹脂層と前記蓄光剤を含む第一のコーティング層との密着性が向上する。
【００１９】
請求項４に記載の発明によれば、浴槽の層構造の表面側に配置された透明樹脂層と、前記浴槽の層構造の裏面側に配置されたバックアップ層とが設けられた浴槽において、前記透明樹脂層内部に蓄光剤が混入していることを特徴とするので、浴槽の強度を保ったまま、軽量で、蓄光剤含有層の剥離の心配が無く、リバースエンジニアリングによって成分分析される虞れも減る。コーティング工程が少なくとも一つ不要になるため、廉価で歩留まりも向上する。
【００２０】
請求項５に記載の発明によれば、請求項４に記載の効果に加えて、前記透明樹脂層に接し、該透明樹脂層から見て前記浴槽の裏面側に配置された白色トナーを含むコーティング層を有することを特徴とするので、前記浴槽の強度が向上するばかりではなく、前記浴槽本体の裏側面を目隠しする効果も生じる。また、放たれた微光を当該バックアップ層で反射することにより浴槽内に光が散乱し、イルミネーション効果も強調できる。更に、熱伝導の良さから蓄熱による光透過性の劣化も抑えることができ、前記蓄光剤の防水効果も期待できる。
また、蓄光剤の濃淡を部分的に調節することで、光り輝く模様を浴槽面に描くこともできる。もっとも角度を違えて励起光を照射するだけで、発光する様子も変幻自在になり、癒し効果が増長される。
【００２１】
請求項６に記載の発明によれば、請求項４又は５に記載の効果に加えて、前記透明樹脂層の裏面側に脱脂加工が施されていることを特徴とするので、前記透明樹脂層と前記蓄光剤を含む第一のコーティング層との密着性が向上する。
【発明を実施するための最良の形態】
【００２２】
以下、この発明を実施するための最良の形態について説明する。
〔発明の実施の形態１〕
【００２３】
図１乃至３には、この発明の実施の形態１を示す。
【００２４】
この実施の形態の蓄光浴槽７は、例えば、図３に示すような形状を呈し、浴槽凹部表面側空間５に光を放つように構成されている。そして、この蓄光浴槽７は断面形状が図１に示すように形成されている。すなわち、この蓄光浴槽７のお湯が張られる側を表面側とし、表面側から裏面側に向かって、順に透明樹脂層（アクリル板）１、蓄光剤を含む第一のコーティング層２、白色トナーを含む第二のコーティング層３、３層から成る構造補強用のバックアップ層４となっている。蓄光剤を含む第一のコーティング層２は、ゲル状コーティング剤に、硬化剤及び蓄光剤適量を混合させて作ったものを、スプレー乃至手塗りで０．２ｍｍ以上の厚さに成層する。白色トナーを含む第二のコーティング層３は、ゲル状コーティング剤に、硬化剤及び白色トナー適量を混合させて作ったものを、スプレー乃至手塗りで０．４ｍｍ以上の厚さに成層する。３層から成る構造補強用のバックアップ層４は、繊維性の樹脂から成り、繊維方向の互いに異なる３層の構造を成しており、様々な歪に対抗できるようにできている。
【００２５】
図２には、この実施の形態１に係る蓄光浴槽７の製造工程のブロック図を示す。
以下、この製造工程順に、各製造工程の説明をする。
《蓄光浴槽７の製造工程》
（１）透明樹脂層（アクリル板）１の真空成形
【００２６】
透明樹脂層（アクリル板）１（通称、「クリア」）に熱を加え乍ら、浴槽７の形をした型枠に填め込み、真空にして吸引し、浴槽７の所定の形に成形する。
（２）透明樹脂層（アクリル板）１のアニール
【００２７】
粗く成形された浴槽７には、歪が多く、ゆっくり暖めてから徐々に冷やすことで、内部に蓄積した歪が無くなる。いわゆる、焼きなましで、透明樹脂層（アクリル板）１の透明性が増す。透明樹脂層（アクリル板）１の層厚は、０．８ｍｍ以上５．０ｍｍ以下が好ましい。
（３）透明樹脂層（アクリル板）１の裏面側脱脂
【００２８】
透明樹脂層（アクリル板）１の裏面側を脱脂することで、蓄光剤を含む第一のコーティング層２が、その上に塗布される際、密着性が向上する。油等の異物が付着していると密着しない。
（４）蓄光剤を含む第一のコーティング層２の塗布
【００２９】
ゲル状コーティング剤はＡＢＳ樹脂（アクリロニトリル-ブタジエン-スチレンの３種類の単量体からなる共重合体で、リサイクル性に富む。）である。蓄光剤は太陽光等の光を吸収して、そのエネルギーを蓄え、暗いところで数十分間発光するような蛍光体で、夜光塗料の一種（ＺｎＳ−Ｃｕ：燐光性硫化亜鉛）であり、非酸化物系が主流であったが、酸化物系蓄光顔料（Phosphorescent Material：蓄光性結晶体で、ストロンチウム、ユウロピウム、ジスプロシウム、アルミニウム）ＰＧ５００〔５００μグリーン発色タイプ〕・ＰＢ５００〔５００μブルー発色タイプ〕のように、酸化アルミニウムを主成分としたセラミック材料に希土類元素を添加した発光持続時間（残光時間：残光輝度が、人間の視認レベル０．３２ｍｃｄ／ｍ２に減衰するまで要する時間）が５００分以上と長いものが開発された。硬化剤が効く前に、満遍なく必要最小限に塗布する。蓄光剤は高価なので、厚く塗り過ぎないよう、発光することが分る程度の量で充分である。
（５）白色トナーを含む第二のコーティング層３の塗布
【００３０】
第一のコーティング層２の塗布と同様に、硬化剤が効く前に、少なくともその２倍以上の厚さに満遍なく塗布する。浴槽７の裏面側６からの光を遮断し、第一のコーティング層２から出射された発光を反射する。第一のコーティング層２と第二のコーティング層３の合計層厚は、０．６ｍｍ以上１．０ｍｍ以下が好ましい。
（６）３層から成る構造補強用のバックアップ層４の塗布
【００３１】
繊維性の樹脂から成り、様々な歪に対抗できるように、繊維方向の互いに異なる３層の構造を成している。
（７）蓄光浴槽７をカット又は穿孔
【００３２】
バリをカットしたり、所定箇所に孔を穿つ。
（８）蓄光浴槽７を組み立てる。
【００３３】
設置場所で、又は仮設場所で、組み立て、完成させる。
《蓄光浴槽７のバリエーション》
【００３４】
また、更に以上の発明の実施の形態１では、蓄光浴槽７の製造工程（５）白色トナーを含む第二のコーティング層３の塗布を行ったが、当該製造工程を省略し、製造工程（４）蓄光剤を含む第一のコーティング層２の塗布の際に白色トナー適量を混入させることができる。この場合でも、散乱性の微光を放つことはできる。
【００３５】
また、蓄光浴槽７の製造工程（４）蓄光剤を含む第一のコーティング層２の塗布の際に各色素剤で着色した色トナー適量を混入させても、散乱性の着色微光を放つこともできる。
〔発明の実施の形態２〕
【００３６】
次に、図示していないが、この発明の実施の形態２について述べる。
【００３７】
この実施の形態２は、透明樹脂層１を形成するアクリル板を成形する際に、アクリル樹脂に蓄光剤を練り込み、混入させた射出チップを溶融させ、それを射出成形することにより、蓄光剤を含むアクリル板を成形する。このアクリル板を用いて、透明樹脂層１を形成することで、この発明の実施の形態１の製造工程（４）を省略し、更に、製造工程（３）又は（５）を省略可能にした断面形状から成る蓄光浴槽７を構成している。因みに、アクリル板製造途中に蓄光剤を混入することで、光るアクリル板としても、浴槽以外の用途も存在する。
【００３８】
この実施の形態２では、アクリル樹脂を使っているが、透明度（励起・発光の光透過率）が良いプラスチック、例えば、ポリスチレン、ポリエチレン、ポリプロピレン、塩化ビニール、メタアクリル、ポリエステル、ポリカーボネート、スチロール、ユリア、メラミン等でも使える。また、プラスチック成形には、射出成形の他、圧縮成形、押出成形、注型成形、カレンダー加工等殆どの成形方法が適用可能である。
【産業上の利用可能性】
【００３９】
この発明は、暗所でも一定時間発光する蓄光剤の働きを有効に使った装飾用兼癒し系の浴槽７の構造に関するものであるが、浴槽７として不要になった場合に、庭に埋め込んで、池槽として使うと、昼間に蓄光し、夜間に発光するので、池の鯉が夜も際立って観賞できる。また、真っ暗闇でも目立つので、誤って池に落ちることも無くなる。視点を変えれば、池槽から放たれた微光が周囲を照らし、防犯用にもなる。
【図面の簡単な説明】
【００４０】
【図１】この発明の実施の形態１に係る蓄光浴槽の断面形状図で、略模式的に表現してある。
【図２】同実施の形態１に係る図１の蓄光浴槽の製造工程図で、各作業工程の要点を説明してある。
【図３】同実施の形態１に係る図１の蓄光浴槽の略全体斜視図である。
【符号の説明】
【００４１】
１    透明樹脂層（アクリル板）
２    蓄光剤を含む第一のコーティング層
３    白色トナーを含む第二のコーティング層
４    バックアップ層
５    浴槽凹部表面側空間
６    浴槽凸部裏面側空間
７    浴槽
【図１】
2006006603.tif 000003
【図２】
2006006603.tif 000004
【図３】
2006006603.tif 000005